Podtech/llm-jp-corpus-v4-ja_patent huggingface dataset:
(57)【要約】      （修正有）【課題】夏場大量の汗のでる環境でも涼しさを体感できるタオル地で制作した汗を拭き取る機能を備えたパジャマ兼用部屋着を提供する。【解決手段】二枚の普通のバスタオル又はタオル地を、ワンピース型の縫い合わせてある部分３に縫い合わせ、又は紐やボタンでつなぎ合わせたもので、着衣することで濡れた体を拭いたり、汗を拭き取る機能を備えた、涼しさを体感できるパジャマ兼用部屋着。【選択図】図３
0003179543.tif 000002
【実用新案登録請求の範囲】
【請求項１】
二枚の普通のバスタオル又はタオル地をワンピース型に縫い合わせ、又は紐やボタンでつなぎ合わせたもので、着衣することで濡れた体を拭いたり、汗を拭き取る機能を備えた、涼しさを体感できるパジャマ兼用部屋着
【考案の詳細な説明】
【技術分野】
【０００１】  本考案は、夏場大量に汗のでる環境でも涼しさを体感できるタオル地で制作した汗を拭き取る機能を備えたパジャマ兼用部屋着に関するものである。
【背景技術】
【０００２】  従来のパジャマや部屋着は、夏の暑さに耐えられないほどの汗に悩まされ、大量の汗を拭き取ることが出ず、体が汗でべたついて寝苦しくなるほどの不快感を感じてしまうものが多かった。
【考案の概要】
【考案が解決しようとする課題】
【０００３】  しかしながら、従来のパジャマや部屋着は、夏の暑さで大量の汗をかいても、その汗をふき取る目的で作られていないために汗をふき取る機能が無く、汗で体がべたべたする不快感を感じる欠点があった。
【課題を解決するための手段】
【０００４】  本考案は、パジャマや部屋着に、ゆったりとした大きめのタオル地を使用し汗をふき取る機能を備えているため、大量の汗をかいても、汗をふき取ることが出来ることから、体が汗でべたべたする不快感を解決することができる。また、子供が着衣すれば、あせもの予防にもなり、湯上がりで濡れた体をしっかりと拭き取ることも出来る。
【考案の効果】
【０００５】  本考案に係るゆったりとした大きめのタオル地を利用したパジャマ兼用部屋着は、単純簡単に制作できることを特徴としている。しかも、タオル地を採用して汗を拭き取る機能を備えているので汗を大量に吸収し、その汗を蒸散させることで涼しさを感じることができる極めて実用性に優れたものである。
【図面の簡単な説明】
【０００６】
【図１】本考案の全体図
【図２】左右の袖口と首の開口部の図
【図３】縫い合わせ部分の図
【考案を実施するための形態】
【０００７】  図１に示すように本考案の全体図は長方形のタオル二枚を縫い合わせたものである。次に図２に示すように左右の袖口と首周りの開口部は特別な加工をしないで単に縫い合わせないままにしておく。図３示している縫い合わせの長さは利用する者のサイズに合わせて縫いあわせる。
【符号の説明】
【０００８】  ▲１▼  首周りの開口部  ▲２▼  左右の袖口の開口部  ▲３▼  縫い合わせてある部分
【図１】
0003179543.tif 000003
【図２】
0003179543.tif 000004
【図３】
0003179543.tif 000005
(57)【要約】      （修正有）【課題】新聞紙のページを迅速、簡単にめくることができるページめくり機構を提供する。【解決手段】新聞紙の適切な辺を斜めに切断して紙面にずれを生ぜしめ、もって紙面を捕まえやすくする。【選択図】図１
0003179561.tif 000002
【実用新案登録請求の範囲】
【請求項１】
新聞紙の適切な辺を斜めに切断して紙面にずれを生ぜしめることを特徴とするページめくり機構。
【考案の詳細な説明】
【技術分野】
【０００１】この考案は新聞紙のページめくりに関するものである。
【背景技術】
【０００２】めくりにくい新聞紙のページを簡単な工作と簡単な動作をもって、容易に目的を果たせるよう開発をしたい。
【考案の開示】
【考案が解決しようとする課題】
【０００３】安価にして簡単な製作加工と、同じく簡単な動作で迅速に新聞紙のページをめくりたい。
【課題を解決するための手段】
【０００４】新聞紙の切断面が垂直にカットされている部分につき適切な辺を斜めに切断する。
斜めのカットであれば紙面のずれを利用できるため、めくるためには理想的である。
【考案の効果】
【０００５】斜めに切断された辺は構造上紙面を捕まえやすく、それゆえにめくりやすい状況が発生する。
【考案を実施するための最良の形態】
【０００６】縦方向の辺を斜めに切断すれば使いやすいのではないか。
【実施例】
【０００７】斜めにカットされているため、紙面のずれが発生してめくりやすく、理想的である。
【産業上の利用可能性】
【０００８】迅速にして簡単な使用動作が期待でき、且つ製作は安価である。
【図面の簡単な説明】
【０００９】
【図１】正面図
【符号の説明】１  新聞紙            ２  斜めの切断面
【図１】
0003179561.tif 000003
(57)【要約】      （修正有）【課題】寝たままシャンプーができるベッド専用シャンプー補助台を提供する。【解決手段】一枚のフラットな長方形状の板の端部中央付近に排水用の穴が設けられ、端部上に設置されるシャンプーボールの周囲三辺を囲む枠が端部に立設され、端部の下部を支点として回動可能な足が設けられる。板の他端部からベッドと布団の間に差し込み、足を床に垂直に立て、シャンプーボールを設置し、排水用の穴に排水用のホースを取り付ける。【選択図】図１
0003179522.tif 000002
【実用新案登録請求の範囲】
【請求項１】
一枚のフラットの板に排水用の穴とシャンプーボールを固定する枠と折りたたみの出来る足からなるベッド専用シャンプー補助台であって背のスペースをベッドと布団の間に差し込み足を床に垂直に立て給排水が可能なシャンプーボールを設置し排水用の穴に排水用のホースを取り付ける事でシャンプーが出来る事を特徴とするベッド専用シャンプー補助台
【考案の詳細な説明】
【技術分野】
【０００１】  本考案は既存のシャンプーボールを固定してベッドと布団の間にベッド専用シャンプー補助台の背の部分を差し込み折りたたみの足を床に垂直に立てる事によりベッドでのシャンプーが簡単に出来るベッド専用のシャンプー補助台である
【背景技術】
【０００２】  今までは紙おむつを頭の下に引いてシャンプーをしてペットボトルにお湯を入れて流すか、移動入浴の際にシャンプーしてもらうぐらいの方法しかなかった
【考案の概要】
【考案が解決しようとする課題】
【０００３】  ベッドで寝たきりの方に好きな時に楽にシャンプーをしてもらうことが出来る
【課題を解決するための手段】
【０００４】  本考案はベッドから少し頭を出す事でシャンプーが出来るように解決している
【考案の効果】
【０００５】  本考案によりベッドでのシャンプーが容易になり、被介護者も介護者も精神的にも肉体的にも満足していただける
【図面の簡単な説明】
【０００６】
【図１】
【考案を実施するための形態】
【０００７】  シャンプーボールを設置する部分と背を乗せる部分が一枚の板で構成されており、背の部分はベッドと布団の間に差し込み体重で支え、折りたたみの足を床に垂直に立てる事でそれぞれベッド専用シャンプー補助台を固定させる事ができる
【実施例】
【０００８】  以下添付図面に従って実施例を説明する
本体は耐久性のベッドの幅、高さに合わせて作れる加工性に優れた木材によるベッド専用シャンプー補助台であり、▲１▼のシャンプーボールを設置するスペースの中央に▲２▼の排水用の穴とシャンプーボールを固定する▲３▼の枠で▲４▼の背を乗せるスペースと一枚のフラットな板で出来ていて、▲４▼の背の部分をベッドと布団の間に差し込み▲５▼の折りたたみができる足を床に垂直に立ててベッド専用シャンプー補助台を固定する
【符号の説明】
【０００９】  ▲１▼シャンプーボールを設置するスペース▲２▼排水用の穴
▲３▼シャンプーボールを固定する枠▲４▼背を乗せるスペース
▲５▼折りたたみが出来る足
【図１】
0003179522.tif 000003
【図２】
0003179522.tif 000004
【手続補正書】
【提出日】平成24年8月16日(2012.8.16)
【手続補正１】
【補正対象書類名】実用新案登録請求の範囲
【補正対象項目名】全文
【補正方法】変更
【補正の内容】
【実用新案登録請求の範囲】
【請求項１】
一枚のフラットな長方形状の板の端部中央付近に排水用の穴が設けられ、前記端部上に設置されるシャンプーボールの周囲三辺を囲む枠が前記端部に立設され、前記端部の下部を支点として回動可能な足が設けられたベッド専用シャンプー補助台であって、前記板の他端部からベッドと布団の間に差し込み、足を床に垂直に立て、給排水が可能なシャンプーボールを設置し、排水用の穴に排水用のホースを取り付けることで、シャンプーが出来ることを特徴とするベッド専用シャンプー補助台
【手続補正２】
【補正対象書類名】明細書
【補正対象項目名】０００６
【補正方法】変更
【補正の内容】
【０００６】
【図１】足を床に垂直に立てた斜め上から見た図
【図２】足を床に垂直に立てた横から見た図
(57)【要約】      （修正有）【課題】自転車に容易に装着できて、接触事故を未然に防ぐことができる自転車のハンドルグリップ一体の電池式ＬＥＤウィンカーを提供する。【解決手段】グリップ６の先端に電池と直結させた黄色ＬＥＤ２を組み込み、カバー３で覆う。スイッチ１０をハンドルを握りながら容易に操作できる位置に設置する。【選択図】図１
0003179526.tif 000002
【実用新案登録請求の範囲】
【請求項１】
既存の自転車用ハンドルグリップの先端に単四電池二本と直結させた黄色LEDを組込み保護用の透明カバーで覆う。電池はハンドルバーの中に納まるサイズとする。電池は交換可能な構造とし、スイッチはハンドルを握りながら容易に操作出来る位置に設置する。ハンドルグリップと黄色LEDウィンカーと電池とスイッチが一体となった製品形状である。ハンドルグリップと黄色LEDウィンカーと電池とスイッチが一体となった製品形状であることで、既存の自転車に容易に装着及び交換出来る。
【考案の詳細な説明】
【考案の概要】
【考案が解決しようとする課題】
【０００１】
自動車及び自動二輪の方向指示器と同等機能を有する装置が自転車に装着されていないことで走行時の安全性が脅かされている。
【課題を解決するための手段】
【０００２】
自動二輪の方向指示器と同等機能を持つ自転車用の方向指示器として、ハンドルグリップの両端に電池式の黄色LEDを組込んだことを当製品の特徴とする。
【考案の効果】
【０００３】
ハンドルグリップの両端に黄色LEDを組込みウィンカーとすることで、周囲の自動車及び自動二輪及び歩行者が左右どちらが点滅してるかの確認を容易とし、接触事故を未然に防ぐ効果がある。
【図面の簡単な説明】
【０００４】
【図１】1,基盤と2,LEDと3,レンズカバーと4,防水パッキンと5,ベースは防水（防滴）の為に脱着不可とする。5,ベースとは基盤をグリップに固定する為の土台。6,は自転車のハンドルバーに装着するグリップ。7,スペーサーは6,グリップ内で8,電池ボックスを安定させる為のもの。9,は乾電池を交換する際に脱着するキャップ。内側に通電を兼ねたスプリングが固定されている。10,はLEDの点滅をONOFFする為のスイッチ。
【図２】断面図。1,基盤と2,LEDと3,レンズカバーと4,防水パッキンと5,ベースは防水（防滴）の為に脱着不可とする。5,ベースとは基盤をグリップに固定する為の土台。6,は自転車のハンドルバーに装着するグリップ。7,スペーサーは6,グリップ内で8,電池ボックスを安定させる為のもの。9,は乾電池を交換する際に脱着するキャップ。内側に通電を兼ねたスプリングが固定されている。10,はLEDの点滅をONOFFする為のスイッチ。
【考案を実施するための形態】
【０００５】
既存の自転車用ハンドルグリップの先端に単四電池二本と直結させた黄色LEDを組込み保護用の透明カバーで覆う。電池はハンドルバーの中に納まるサイズとする。電池は交換可能な構造とし、スイッチはハンドルを握りながら容易に操作出来る位置に設置する。ハンドルグリップと黄色LEDウィンカーと電池とスイッチが一体となった製品形状である。
【産業上の利用可能性】
【０００６】
既存のハンドルグリップと黄色LEDウィンカーと電池とスイッチが一体となった製品形状であることで、既存の自転車に容易に装着及び交換出来る。電池も容易に交換可能な構造とする。
【図１】
0003179526.tif 000003
【図２】
0003179526.tif 000004
【手続補正書】
【提出日】平成24年9月4日(2012.9.4)
【手続補正１】
【補正対象書類名】実用新案登録請求の範囲
【補正対象項目名】全文
【補正方法】変更
【補正の内容】
【実用新案登録請求の範囲】
【請求項１】
自転車用ハンドルグリップの先端に、ハンドルバーの中に納まるサイズで交換可能な構造とした電池と直結させた黄色LEDを組込み、保護用の透明カバーで覆い、スイッチはハンドルを握りながら容易に操作出来る位置に設置する、ことを特徴とする自転車のハンドルグリップ一体の電池式LEDウィンカー。
(57)【要約】      （修正有）【課題】所定の大きさに切り抜き可能で、且つ折り畳みも容易な新聞紙を提供する。【解決手段】紙面の縦横に複数の切り取り可能な直線状のミシン目加工を施してなる。ミシン目の切り目部分の長さは０．１５〜０．４ｍｍである。【選択図】図１
0003179208.tif 000002
【実用新案登録請求の範囲】
【請求項１】
紙面の縦横に複数の切り取り可能な直線状のミシン目加工を施してなる新聞紙。
【請求項２】
ミシン目の切り目部分の長さが０．１５〜０．４ｍｍである上記請求項１記載の新聞紙。
【考案の詳細な説明】
【技術分野】
【０００１】
本考案は、容易に切り抜き可能な新聞紙に関する。
【背景技術】
【０００２】
新聞紙面には、複数の記事文章や写真、図面などが印刷されている。従来より、新聞読者は、特に気に留めた記事について、当該記事の掲載箇所を切り抜き、スクラップすることをしばしば行っている。しかしながら、切り抜きに際しては、ハサミ、カッター、定規等の裁断用具を使用することが必要であり、記事を読んだ際にその場で行うことは難しい。
【０００３】
また、新聞紙は、一般紙（ブランケット判）では、一面につき縦約５４ｃｍ×横約４０ｃｍあることから、閲覧に際し、任意の大きさに折り畳んで扱われる場合がよくあり、頁数が多いものは折り畳み辛く扱い難い。
【考案の概要】
【考案が解決しようとする課題】
【０００４】
本考案は、必要な部分を容易に切り抜き可能で、且つ折り畳みも容易な新聞紙を提供するものである。
【課題を解決するための手段】
【０００５】
すなわち、本考案は、次の（１）〜（２）に係るものである。
（１）紙面の縦横に複数の切り取り可能な直線状のミシン目加工を施してなる新聞紙。
（２）ミシン目の切り目部分の長さが０．１５〜０．４ｍｍである上記（１）の新聞紙。
【考案の効果】
【０００６】
本考案によれば、読者が新聞を読んだ際、裁断用具を使うこと無く速やかに、必要な記事を含む紙面を切り抜くことができる。また、ミシン目加工が施されていることから、枚数が多いものでも比較的簡単に折り畳むことができ、例えば移動中の車内のような限られたスペースでの閲覧の際に便利である。
【図面の簡単な説明】
【０００７】
【図１】本考案新聞紙の一の実施形態を示す斜視図である。
【図２】本考案新聞紙の一の実施形態を示す平面図である。
【図３】ミシン目の部分拡大図である。
【考案を実施するための形態】
【０００８】
本考案の一の実施形態を、図1、２に示す。
図１の新聞紙では、縦方向に３箇所（ａ〜ｃ）、横方向に４箇所（Ａ〜Ｅ）の直線状のミシン目加工を設けている。
図２は、新聞紙を広げた状態で、縦方向に７箇所（ａ〜ｇ）、横方向に４箇所（Ａ〜Ｅ）の直線状のミシン目加工を設けている。
本考案において、用いられる新聞紙の種類は特に限定されず、一般紙、すなわちブランケット判、タブロイド版を始め、何れでもよい。
【０００９】
ミシン目は、切り取り可能なものであれば、その大きさや間隔は限定されないが、紙面上の文字を潰さないマイクロサイズが好ましく、図３に示すとおり、ミシン目の切り目部分２の長さが０．１５〜０．４ｍｍ、好ましくは０．１〜０．３ｍｍであり、ミシン目の連続部分３の長さが０．１〜０．３ｍｍ、好ましくは０．１５〜０．２５ｍｍである。
【００１０】
ミシン目加工を施工する位置及び数は、新聞紙のサイズによって適宜選択して決定すればよい。例えば、ブランケット判（縦５４６ｍｍ×横４０６．５ｍｍ）では、縦方向に１〜６箇所、好ましくは３〜５箇所、横方向に１〜７箇所、好ましくは３〜５箇所を設けることが挙げられる。また、タブロイド版（縦４０６．５ｍｍ×横２７３ｍｍ）では、縦方向に１〜５箇所、好ましくは２〜３箇所、横方向に１〜５箇所、好ましくは２〜３箇所設けることが挙げられる。
【００１１】
なお、図２に示すように、新聞紙の中央に位置する折れ目部分にミシン目を設け、１頁全体を切り取るようにしてもよく、新聞紙の記事面のみにミシン目を設けて、中央部分にミシン目を設けないこともできる。
また、ミシン目の間隔は等間隔であっても不等間隔であってもよいが、縦又は横に二つ折りすることを考慮すると、縦横夫々中央付近に少なくとも１箇所設けるのが好ましい。
【００１２】
ミシン目加工は、既知のミシン目加工を施すことが可能な用紙加工装置、例えば用紙にミシン目を入れるためのカッターを備えた印刷装置（例えば、特開平１１−２４９３６１号公報）等を用いることにより行うことができる。
【００１３】
読者は、例えば図１の新聞紙を閲覧した際に、切り抜きたい記事を含むように、ミシン目ａ〜ｃ及びＡ〜Ｅを適宜選択し、当該ミシン目に沿って、該当部分を新聞紙本体１から切り離すことが可能である。また、任意のミシン目線を中心にその線に沿って所望の方向に新聞紙を容易に折り畳むことが可能である。
【符号の説明】
【００１４】
１    新聞紙本体
２    ミシン目の切り目部分
３    ミシン目の連続部分
ａ〜ｇ    縦方向のミシン目
Ａ〜Ｅ    横方向のミシン目
【図１】
0003179208.tif 000003
【図２】
0003179208.tif 000004
【図３】
0003179208.tif 000005
(57)【要約】      （修正有）【課題】効率よく窓や床面等の清掃ができる清掃用積層縫着布体を提供する。【解決手段】同形の長方形吸水性布体を複数枚重ね合わせ、該積層布体の一方の長辺中央から他方の長辺中央に至る縫着部２を設けて、各布体の縫着部２からの折り返しを可能とするよう構成したことを特徴とする。【選択図】図２
0003179253.tif 000002
【実用新案登録請求の範囲】
【請求項１】
同形の長方形吸水性布体を複数枚重ね合わせ、該積層布体の一方の長辺中央から他方の長辺中央に至る縫着部を設けて、各布体の縫着部からの折り返しを可能とするよう構成したことを特徴とする清掃用積層縫着布体。
【請求項２】
縫着部を、対向する長辺中央近傍および布体中央としてなる請求項１記載の清掃用積層縫着布体。
【請求項３】
縫着部を、対向する長辺中央近傍としてなる請求項１記載の清掃用積層縫着布体。
【請求項４】
縫着部を布体中央としてなる請求項１記載の清掃用積層縫着布体。
【請求項５】
布体の角を円形としてなる請求項１〜４のいずれかの項に記載の清掃用積層縫着布体。
【考案の詳細な説明】
【技術分野】
【０００１】  この考案は、雑巾などの清掃用布体を複数枚積層縫着した布体に関する。
【背景技術】
【０００２】  従来より、清掃用布体としては単一布体が多用され、本案に示すような積層縫着した布体は見あたらない。
【考案の概要】
【考案が解決しようとする課題】
【０００３】  一般に、住居内等の清掃時には雑巾やモップ等が多用されている。雑巾は吸水性を有する長方形単一布体がよく用いられ、水を含ませて絞った後、清掃個所に押し当て移動させて清掃する。布体が次第に汚れてくるので、適宜に洗浄作業を繰り返しながら使用するが、汚れ程度が大なる個所の清掃時には、その洗浄作業頻度も高くなって煩わしい。
本案は以上に鑑み、積層した同形布体の一部を縫着することにて、布体をめくりながら長時間にわたる拭き掃除を可能とする新規かつ有用なる布体を提供することを目的として考案されたものである。
【課題を解決するための手段】
【０００４】  課題を解決する手段として本案は以下の構成とした。
すなわち、同形の長方形吸水性布体を複数枚重ね合わせ、該積層布体の一方の長辺中央から他方の長辺中央に至る縫着部を設けて、各布体の縫着部からの折り返しを可能とするよう構成する。本案は以上の構成よりなる清掃用積層縫着布体である。
【考案の効果】
【０００５】  本案は、積層縫着布体とした清掃用品であるため、次々と布体を折り返すことにより、新規な布面を表出させて清掃することができて、従来法のように、汚れる都度の布体洗浄を必要とせず、長時間広範囲の清掃を可能とする有用なる物品を得ることができる。
【図面の簡単な説明】
【０００６】
【図１】  本考案の平面図
【図２】  本考案の正面図
【図３】  本考案の他例平面図
【図４】  本考案の他例平面図
【図５】  本考案の他例平面図
【図６】  本考案の他例平面図
【図７】  本考案の使用説明図
【考案を実施するための形態】
【０００７】  以下、本考案の実施形態について説明する。
図において、１は吸水性に富む長方形の布体で、これを三枚重ねてその一方の長辺中央から他方の長辺中央に至る直線状の縫着部２を形成したものである。各布体は正面視において、最上位置布体は第１布体３、中央布体を第２布体４、最下布体は第３布体５となる。
なお、縫着部はミシンにて２列になされる。以上が本案の一例である。
次に、本案の使用について説明する。本案使用時は、まず本品に吸水させて適宜に絞る。
本品全体を縫着部から折り返して手に持ち、清掃個所に押し当て移動させて清掃作業を行う。このときは、図７にて示すように、第１布体のもとの上面右方が最下面となって、清掃時当接面となる。当接布体の汚れ程度が大きくなると、第１布体を折り返して第１布体の左方下面が当接面となり、新規面による清掃作業を行うことができる。以下、これを繰り返して、すべての布面を清掃時当接面として使用することができる。
従って、従来方式のように、汚れる度に布体を洗浄する手間を省くことができる。
使用後は、布体洗浄を行って再使用することができる。
【０００８】  図３以下は、本案の他例を示すものである。図３は縫着部を長辺近傍と布体中央に設けた例、図４は縫着部を長辺近傍のみとした例であり、いずれも機能は初例同様である。
図５は縫着部を布体中央のみとした例である。前例までは、両長辺に縫着部が存在しており、長辺中央からのみ折り返すものであったが、本例では布体中央に縫着部を有するので、布体中央を基点として縦横その他任意の方向に折り返すことができる特徴がある。
図６は布体隅部を円弧形とした例であって、既述例に比べて機能上の差は少ない。また、この円弧形の半径を大として、全体的に円形に近い布体とすることも可能である。
【０００９】  以上、本案について記したが、本案は布体を積層縫着したところにその特徴を有するものである。従来は単一布体を用いての清掃であり、布体交換とその洗浄が煩わしかったが、本案では布体をめくって新規面を表出しながら連続的に清掃作業ができて、より能率的な清掃が可能となったのである。なお、既述例では３枚の布体縫着としたが、任意枚数の縫着とすることができる。また、縫着の仕方は直線状縫着以外に適宜にアレンジできる。
本案は、窓の清掃、床の清掃、車体の清掃など多方面に利用することができる。
以上のごとく、本案によってより利便性に富んだ清掃用布体を得ることができる。
【符号の説明】
【００１０】  １  布体
２  縫着部
３  第１布体
４  第２布体
５  第３布体
【図１】
0003179253.tif 000003
【図２】
0003179253.tif 000004
【図３】
0003179253.tif 000005
【図４】
0003179253.tif 000006
【図５】
0003179253.tif 000007
【図６】
0003179253.tif 000008
【図７】
0003179253.tif 000009
(57)【要約】      （修正有）【課題】傘の内側への雨のしずくの侵入を防いで、軒下などに一時保管することができる傘を提供する。【解決手段】柄を石突き部に装着できるようにし、保管する際は石突き部が上方になる形態にする。【選択図】図１
0003179255.tif 000002
【実用新案登録請求の範囲】
【請求項１】
傘の柄が取り外しでき分離した柄を石突き部に装着し、傘の内部に雨やしずくの浸入を防ぐことを特徴とする傘。
【請求項２】
石突き部に取り付けたマスコット又はキャラクター等を柄部と相互いに交換可能な取り付け構造にしたことを特徴とする傘。
【考案の詳細な説明】
【技術分野】
【０００１】  本考案は傘の内側に雨のしずくの浸入を防ぐ、傘のしずく防止具に関する。
【背景技術】
【０００２】  従来、傘の一時的保管に傘の柄をフック代わりに使用していた。また、傘を干す際に柄をフック代わりに使用して傘を干していた。
【考案の概要】
【考案が解決しようとする課題】
【０００３】  これは次のような欠点があった。
（イ）軒下など屋外に近いところで、柄をフック代わりに使用すると雨やしずくが傘の内部に浸入することがあった。
（ロ）傘の内部に雨やしずくが浸入することで、内部の骨組みが錆びやすい。
（ハ）開く方が上部になる為、傘が広がってしまう。
本考案は、これらの欠点を除くためになされたものである。
【課題を解決するための手段】
【０００４】  本考案は上記の課題を解決するために、柄を石突き部に装着できるようにし、保管する際は石突き部が上方になる形態にする。
【考案の効果】
【０００５】  以上に述べたように本考案は、傘の柄をフック代わりに使用して傘を干したり保管する際に傘の内部に雨やしずくの浸入を防げる。【０００６】  柄やマスコットやキャラクター等は傘と別々に保管する必要がなく、紛失したり忘れることがない。【０００７】  更に支柱の両先端が突出してないため子供の危険防止具にもなり、遊び心のある傘として年齢性別に関わらず愛着がわく商品となる。【０００８】  又、様々なマスコットやキャラクターを装着できることにより、誤認防止にもなる。
【図面の簡単な説明】
【図１】本考案の実施例を示す斜視図である。
【図２】通常の使用形態を示す斜視図である。
【図３】通常使用時のネジ部の断面図である。
【図４】保管時のネジ部の断面図である。
【実施例】
【０００９】  次に本考案の実施例について説明する。
雨が降って傘３を使用する時には柄１を支柱２の雄ネジ５にネジの回転で装着し使用する。傘を使用しない時は柄１を支柱２の雄ネジ５から取り外し支柱２の石突き部雄ネジ７にネジの回転で装着する。柄１をフック代わりに使用し、石突き部を上方にすることで傘を干したり保管する際に傘の内部に雨やしずくの浸入を防げる。【００１０】  なお、柄１及びマスコット又はキャラクター等４の装着方法はネジに限定されるものではなく、勘合・その他の装着方法を用いても良い。【００１１】  又、柄１を装着していない方にマスコット又はキャラクター等４を取り付けることで支柱２の腐食防止にもなるし、突出部分の危険防止にもなる。更に、マスコットやキャラクター等４を付けることにより子供の興味を引き楽しく使用できる。
【符号の説明】１    柄
２    支柱
３    傘
４    マスコット又はキャラクター等
５    雄ネジ
６    雌ネジ
７    石突き部雄ネジ
【図１】
0003179255.tif 000003
【図２】
0003179255.tif 000004
【図３】
0003179255.tif 000005
【図４】
0003179255.tif 000006
(57)【要約】      （修正有）【課題】モルタルやコンクリート製の壁、柱用スペーサーは、爪付きのバネを有しておりこのバネ部で躯体鉄筋の横筋（配力筋）を挟むようにして装着固定されるが、型枠の設置や生コン打設の際にスペーサー本体が受ける上下方向の外力で回転してしまうことを防止した爪部を備えたバネを提供する。【解決手段】従来の横筋を銜える爪１の部分に加えて縦筋と緩慢なく接することで上下方向に回転する動きを強制的に阻止するプレート部２を有するバネを使用した上述壁、柱用スペーサーとし、これを躯体鉄筋の交差部にセットする。【選択図】図１
0003179242.tif 000002
【実用新案登録請求の範囲】
【請求項１】
モルタル又はコンクリート製の壁、柱用スペーサーに埋め込まれる鉄筋装着用バネであって該バネの縦筋（主筋）方向、即ち上下方向に該鉄筋と緩慢なく接する二枚のプレート部を有し、躯体鉄筋の交差部にセットされる回転防止性能の高いバネ。
【考案の詳細な説明】
【技術分野】
【０００１】  鉄筋コンクリート造の建造物ではその建造過程において躯体鉄筋の所定のかぶりを保持する目的で、配筋した該鉄筋の要所要所にスペーサーが設置されている。
該スペーサーには様々な材質から成るものがあり、特にかぶり相当部の本体部分がモルタルやコンクリート製の壁、柱用のスペーサーの場合には概ね２本の爪状に加工された返し部を有するバネの根元を該スペーサー本体に埋め込んで、このバネの２本の爪の逆止効果を利用して躯体鉄筋をキャッチする形式でスペーサーが鉄筋に設置される。
本考案はこのモルタルやコンクリート製のスペーサーにその根元が埋め込まれるバネに関する。
【背景技術】
【０００２】  上述のモルタルやコンクリート製のスペーサーは、通常躯体鉄筋の横筋（配力筋）に設置される。それ故、該スペーサーにその根元が埋め込まれているバネには型枠設置時や生コン打設時にスペーサー本体が受ける上下方向の外力で回らない様、即ち回ることによってかぶりが変わってはならないのでさまざまな工夫が施されている。例えば前述の２本の爪の先端を尖鋭にしたり、該爪の対辺側にも小さい爪状の突起部を細工したりしている。
しかしながら上述スペーサーが受ける外力は想像以上に大きく、特に型枠設置時に受ける外力はしばしばスペーサーを上下方向に回してしまうことがある。
【考案の概要】
【考案が解決しようとする課題】
【０００３】  上述のようにスペーサーが回転してしまうということは、即ち躯体鉄筋のかぶりが足らなくなるということであり、所定のかぶりが確保されていないということである。
これは躯体鉄筋の防水、防錆上極めて重大な問題であり、看過することは許されないので型枠設置後、回転してしまったスペーサーを再度定位置まで戻す作業なども行われている。
【課題を解決するための手段】
【０００４】  本考案者は鋭意研究した結果、躯体鉄筋の縦筋（主筋）を利用することによってスペーサー本体に相当な外力が加わっても回転しない即ち生コンの打設が完了するまで確実に所定のかぶりを保持することのできるモルタルやコンクリート製スペーサーのための鉄筋キャッチ用バネを開発することに成功した。【０００５】  以下、本考案による鉄筋キャッチ用バネを図に従い、詳しく説明する。
図１は本考案による鉄筋キャッチ用バネのイメージ図である。ここで符号１は横筋を銜える一対の爪の部分であり、左右二箇所に設けてある。また符合２は縦筋に緩慢なく接しスペーサー本体が上下方向に回転するのを防いでいるプレート部。そして符合３はスペーサー本体部分のモルタルやコンクリートに埋め込まれ該バネとスペーサー本体部とを一体化する部分である。
図２は本考案によるバネを有する高強度モルタル製スペーサーを横筋と縦筋の交差部にセットしたときのイメージ図である。ここで点線で示した符号４はスペーサーの本体部分、また符合５は爪部１に銜えられる横筋、そして符号６は回転防止用プレート２と緩慢なく接する縦筋（主筋）である。
該バネは対となっている返しの爪１の間を鉄筋に押し込んで装着されるが、一旦鉄筋を銜えると返しの爪１の逆止効果及び硬めに焼入れされたバネの剛性とによって強力な定着力を発揮するが、それでも符号４の本体部分は鉄筋のかぶりと同じ長さであり比較的長いので該先端部に外力が作用したときに生じるモーメントが極めて大きいために回されてしまう。
符号２のプレート部は、縦筋６と緩慢なく接することでこの回転を強制的に防止するために設けられたものであり、所定のかぶりを確保する上で多大な効果をもたらすのである。
【考案の効果】
【０００６】  上述のごとくに加工された本考案による鉄筋キャッチ用バネを使用したモルタルやコンクリート製スペーサーは、躯体鉄筋の所定かぶりを確保し且つ従前のような回転してしまったスペーサーをまた定位置に戻すという煩雑な作業から解放してくれるのである。
【図面の簡単な説明】
【０００７】
【図１】  本考案によるバネのイメージ図
【図２】  本考案によるバネを鉄筋にセットしたときのイメージ図
【考案を実施するための形態】
【０００８】  本考案によるバネが対象とする鉄筋の適用範囲は建築及び土木にまたがってＤ１３からＤ２２までの４種類である。当然種類ごとにバネ各部の寸法は異なるが、該バネの特徴である回転防止用プレート２を有するなどの形状は変わらないので何れのサイズのバネにおいても該バネを有するスペーサーは、型枠設置の際の接触や生コン打設の際の生コンの投入による衝撃などによる外力で回転することはなく躯体鉄筋の所定のかぶりを確保できる。また図２でも判るように該バネは縦筋と横筋の交差部にセットされるのでここには結束線は使用しない。
【産業上の利用可能性】
【０００９】  本考案による鉄筋キャッチ用バネを有するモルタルやコンクリート製のスペーサーにおいては使用に際して該スペーサーに加わる様々な外力を受けても回転してしまうことがないので型枠設置後に再度スペーサーを定位置に戻すような煩雑な作業も必要なく、鉄筋の所定のかぶりが確実に保障されるなど少なからぬ利点を有しているので当該業界における利用の可能性は非常に大きいと思われる。
【符号の説明】
【００１０】    １，対を成す返しの爪部
２，縦筋（主筋）と接するプレート部
３，スペーサー本体のモルタルやコンクリートに埋め込まれる部分
４，スペーサーの本体部分
５，横筋（配力筋）
６，縦筋（主筋）
【図１】
0003179242.tif 000003
【図２】
0003179242.tif 000004
【手続補正書】
【提出日】平成24年8月6日(2012.8.6)
【手続補正１】
【補正対象書類名】実用新案登録請求の範囲
【補正対象項目名】全文
【補正方法】変更
【補正の内容】
【実用新案登録請求の範囲】
【請求項１】
モルタル又はコンクリート製壁、柱用スペーサーに埋め込まれる鉄筋装着用バネであって該バネの縦筋（主筋）方向、即ち上下方向に該鉄筋と緩慢なく接する二枚のプレート部を有し、躯体鉄筋の交差部にセットするための対を成す返しの爪部を備えたバネ。
(57)【要約】      （修正有）【課題】スーツやジャケット等の胸ポケットにポケットチーフを簡単に装着することができ、型くずれや沈み込みをも確実に防止することができるポケットチーフホルダーを提供する。【解決手段】板状の本体１から延長した複数の突起部２ａ〜２ｃとその間に設けられた切り込みでポケットチーフを確実に保持できるようにホルダーを形成する。具体的には、本体１から上方へ突出して例えば３本の突起部２ａ、２ｂ及び２ｃを形成し、それら突起部２ａ、２ｂ及び２ｃの間に２つの切り込み部３ａ及び３ｂを形成する。突起部２ａ、２ｂ及び２ｃのそれぞれの幅は、５ｍｍ〜３０ｍｍ、長さは３０ｍｍ〜６０ｍｍが好ましい。切り込み部３ａ及び３ｂ部の幅は、それぞれ５ｍｍ〜１５ｍｍが最適である。突起部２ａ、２ｂ及び２ｃを含めた本体１の厚さは、使用する材質の柔軟性によって異なるが、合成樹脂の場合で０．５ｍｍが最適である。【選択図】図１
0003179265.tif 000002
【実用新案登録請求の範囲】
【請求項１】
平板状の本体から延長して形成した少なくとも２本の突起部と、これら２本の突起部の間に形成した少なくとも１つの切り込み部とからなることを特徴としたポケットチーフホルダー。
【請求項２】
前記本体に複数の穴を形成したことを特徴とする請求項１記載のポケットチーフホルダー。
【請求項３】
前記突起部の幅は、５ｍｍ〜３０ｍｍであることを特徴とする請求項１記載のポケットチーフホルダー。
【請求項４】
前記切込み部の幅は、５ｍｍ〜１５ｍｍであることを特徴とする請求項１記載のポケットチーフホルダー。
【請求項５】
前記本体の厚さは、０．２ｍｍ〜３ｍｍであることを特徴とする請求項１記載のポケットチーフホルダー。
【請求項６】
前記本体の材質は、厚紙、合成樹脂、プラスチック、皮革のうちの少なくとも１つであることを特徴とする請求項１記載のポケットチーフホルダー。
【考案の詳細な説明】
【技術分野】
【０００１】本考案は、スーツやジャケット等の胸ポケットにポケットチーフを簡単に装着することができ、型くずれや沈み込みをも確実に防止することができるポケットチーフホルダーに関するものである。
【背景技術】
【０００２】ポケットチーフのみをポケットに装着した場合、人の動きや引力によって、型くずれやポケット内部への沈み込みが発生し、頻繁な調節が必要であった。また、ポケットチーフを使用するたびに、折ったり形を整えたりする必要があった。【０００３】上記問題点を解決すべく、例えば特開平６−３１３２０１号公報には、平坦板状に形成した保持部の上方にチーフ固定部を形成し、このチーフ固定部は、常時は略閉鎖状の筋状貫通孔とし、保持部の下方にチーフ収め部を形成したポケットチーフホルダーが開示されている。【０００４】
【特許文献１】特開平６−３１３２０１号公報
【考案が解決しようとする課題】
【０００５】しかし、特開平６−３１３２０１号公報に開示されたポケットチーフホルダーにあっては、形を整えたポケットチーフの上部をチーフ固定部である筋状貫通孔に差し込み、更にポケットチーフの下部をチーフ収め部である開口部に押し込むといった２つの動作を行わなければならず、また綺麗に整った形状にポケットチーフをスーツのポケットに装着するのが困難である。
【０００６】本考案は、上記の問題点を解決するために成されたものであり、スーツやジャケット等の胸ポケットにポケットチーフを簡単に装着することができ、型くずれや沈み込みをも確実に防止することができるポケットチーフホルダーを提供することを目的とする。
【課題を解決するための手段】
【０００７】上記課題を解決すべく研究開発を行った結果、少なくとも２本の突起部と、少なくとも１つの切り込み部とからなる形状のポケットチーフホルダーを考案した。２本の突起でポケットチーフ全体を支えて型くずれを防止し、１つの切り込み部でポケットチーフの沈み込みを防止する。
【考案の効果】
【０００８】ポケットチーフの様々な折り方に対応でき、型くずれや沈み込みを完全に防止できる。ポケットチーフの高さ調整及びポケットへの装着が容易なことなどが従来にない優れた特長を有する。
【図面の簡単な説明】
【０００９】
【図１】本考案のポケットチーフホルダーの斜視図である。
【図２】ポケットチーフのホルダーへの装着方法を示した斜視図である。
【図３】ポケットチーフとホルダーを胸ポケットに装着した図である。
【考案を実施するための形態】
【００１０】本考案のポケットチーフホルダーを実施するための形態を図を参照して説明する。
【００１１】図１は、本考案のポケットチーフホルダーを示す斜視図である。本体１のその大きさは、標準的な胸ポケットの寸法より一回り小さい寸法であり、図３に示されるようにポケットの中に完全に収まるものとする。本体１から上方へ突出して例えば３本の突起部２ａ、２ｂ及び２ｃを形成し、それら突起部２ａ、２ｂ及び２ｃの間に２つの切り込み部３ａ及び３ｂを形成する。突起部２ａ、２ｂ及び２ｃのそれぞれの幅は、５ｍｍ〜３０ｍｍ、長さは３０ｍｍ〜６０ｍｍが好ましい。切り込み部３ａ及び３ｂ部の幅は、それぞれ５ｍｍ〜１５ｍｍが最適である。突起部２ａ、２ｂ及び２ｃを含めた本体１の厚さは、使用する材質の柔軟性によって異なるが、合成樹脂の場合で０．５ｍｍが最適である。しかし、それ以外の材質によっては、０．２ｍｍ〜３ｍｍも使用可能である。材質は、適度な柔軟性と耐久性があり、尚かつ加工が簡単な厚紙、合成樹脂、プラスチック、皮革などが適している。
【００１２】本考案のポケットチーフホルダーは、板状の素材を型抜きして作られる一体型が特長で、他の部品の取り付けや型抜き後の二次加工を必要としない。
【００１３】本考案のポケットチーフホルダーには、図１に示すように複数の穴４が空けられ配置されている。穴４の配列は、柔軟性と軽量化を目的としたものである。
【００１４】図２に示すように例えば３つ折りに折り畳んだポケットチーフ５の下部を二折りして、３本の突起部２ａ、２ｂ及び２ｃ間に形成された２本の切り込み部３ａ及び３ｂに差し込む。ポケットチーフ５は、二点鎖線で示された位置６に装着される。ポケットチーフ５の露出部の高さは、好みによって折り目を調節して行う。
【００１５】図３に示すように、ポケットチーフ５の上部を残して本体１及びポケットチーフ５をスーツの胸ポケット７に挿入する。
【００１６】上記実施例では、突起部が３本、切り込み部が２つとしたが、これに限定されず、突起部は２本或いは４本以上であってもよく、切り込み部は１つ或いは３つ以上であってもよい。
【符号の説明】
【００１７】１．．．．．．．．．本体
２ａ、２ｂ、２ｃ．．突起部
３ａ、３ｂ．．．．．切り込み部
４．．．．．．．．．穴
５．．．．．．．．．ポケットチーフ
６．．．．．．．．．ポケットチーフ装着位置
７．．．．．．．．．スーツの胸ポケット
【図１】
0003179265.tif 000003
【図２】
0003179265.tif 000004
【図３】
0003179265.tif 000005
(57)【要約】      （修正有）【課題】ラジコン車のダンパーシャフトにボールエンドを取り付ける際にシャフトに傷をつけずにボールエンドを取り付けるダンパーシャフト構造を提供する。【解決手段】シャフトに取り付けるボールエンドの終端部にシャフト径の１／５〜１／２．５の穴を形成することにより、その穴に針金を通して手で保持することで、シャフトへのボールエンド取付時に、ペンチで挟むことが無くなるため、シャフトへの傷付けが無くなり、ダンパーオイル漏れやオーリングの内側の損傷が回避することが可能となった。【選択図】図３
0003179266.tif 000002
【実用新案登録請求の範囲】
【請求項１】
ラジコン車用のダンパーシャフトにボールエンドを取り付ける際に、シャフトに傷を付けずにシャフトに取り付け可能にする構造であり、上記シャフトに取り付けるボールエンドの終端部にシャフトの直径の１／５〜１／２．５の穴を形成することを特長とするダンパーシャフト構造
【考案の詳細な説明】
【技術分野】
【０００１】  本考案はラジコン車用ダンパーシャフト構造に関する。
【背景技術】
【０００２】  従来ラジコン車用のダンパー構造を図１に示す。図１の１に示す箇所にダンパーシャフトが使用されており、走行時におけるタイヤの衝撃をダンパーのシリンダーに伝える役割を持っている。ダンパーシャフトにはシャーシ、及びサスペンションの可動部に取り付けるために図１の２に示すボールエンドをとりつける。従来のダンパーシャフトではボールエンドはシャフトに形成されたタップにねじ込んで取り付けるため、取り付ける際にシャフトが回らないようにペンチで挟んでボールエンドを取り付けている。
【考案の概要】
【考案が解決しようとする課題】
【０００３】  しかしながら、上記背景技術に記載したシャフトをペンチで挟んでボールエンドを取り付ける方法はペンチの挟み込みによってシャフトに傷をつける可能性が高く、シャフトに傷がつくことによって、シャフトがダンパー内を往復運動する際にシリンダー内部のダンパーオイルが傷に沿って外部に漏れたり、シャフトが通るゴム製オーリング内側を傷つけオーリングの消耗が早まり交換頻度が高くなる、等の課題があった。本考案は上記課題を解決するため、ダンパーシャフトにボールエンドを取り付ける際にシャフトに傷をつけずにボールエンドを取り付けるダンパーシャフト構造を提供することにある。
【課題を解決するための手段】
【０００４】本考案は図２に示すようにダンパーシャフトのボールエンド取り付け終端部に穴を形成することにより、ボールエンド取付の時に前記穴に針がねを通すことによってボールエンド取付時の回転方向の力を止めることが可能になり、従来方法のようにペンチで傷をつけずにボールエンドの取付が可能になった。ダンパーシャフトに形成する穴の径はダンパーシャフトの直径の１／５から１／２．５程度が最適であり、前記穴径にすることによってタイヤの衝撃を吸収する際のシャフトの損傷を回避することが可能となる。
【考案の効果】
【０００５】本考案の適用されたダンパーシャフトによって、従来ペンチでシャフトを挟んでボールエンドを取り付ける必要があったが、ダンパーシャフトの穴に通した針金を手で保持することでダンパーシャフトに傷をつけることなく容易にボールエンドを取り付けることが可能となった。ダンパーシャフトに傷がつかないため、ダンパー内のオイルの漏れが最小限に抑えられると同時にダンパーシャフトが通っているオーリング内側の傷も抑えられ、オイル、及びオーリングの交換頻度の低減等の効果が期待できる。
【図面の簡単な説明】
【０００６】
【図３】従来シャフトとこの考案のシャフトの比較図である。
【図２】この考案のダンパーシャフトの側面図である。
【図１】ダンパー構造の側面図である。
【図１−１】従来技術のダンパーシャフトの側面図である。
【考案を実施するための形態】
【０００７】本考案の一実施形態を図３に示す。図３は従来のダンパーシャフトと本考案のダンパーシャフトの比較図である。本考案ではダンパーシャフトに穴を開けるため従来のダンパーシャフトより穴径の分長くすることによって、ダンパーシリンダー内での往復運動の長さを従来と同一にすることができる。シャフトに形成する穴径はシャフトの直径の１／５〜１／２．５程度であれば、走行時にタイヤの衝撃をダンパーシャフトが折れたり曲がったりの損傷無に受け止めることが可能となる。
【０００８】「実施形態の効果」
本実施形態によって、ダンパーシャフトにボールエンドを取り付ける際にダンパーシャフトに傷をつけることなく、容易にボールエンドを取り付けることが可能となり、オイル漏れ、オーリングの傷つけ等の心配が少なくなり、交換頻度が最小限に抑えることが可能となる。
【符号の説明】
【０００９】１    ダンパーシャフト
２    ボールエンド
３    ボールエンド取付時の保持穴
【図１】
0003179266.tif 000003
【図１−１】
0003179266.tif 000004
【図２】
0003179266.tif 000005
【図３】
0003179266.tif 000006
(57)【要約】      （修正有）【課題】極力コストを抑えて、且つ、簡単な構造で、落下による紛失事故を防ぐことが可能なカードホルダーを提供する。【解決手段】紐等で首から吊り下げて使うカードホルダーの、カード収納体の一辺に１つ以上のボール収納室７を持つボール収納体を設け、紐等で首から吊り下げたときにボール収納室７の底面に位置する場所にボール体の半分の容積が収納可能なポケット８を設け、ポケット８の開口部にボール体の導入を容易にするための勾配を設ける。【選択図】図２
0003179215.tif 000002
【実用新案登録請求の範囲】
【請求項１】
カード収納体の一辺に１つ以上のボール収納室を持つボール収納体を具備したカードホルダー
【請求項２】
カードホルダーを紐等で首から吊り下げたときに、ボール収納室の底面に位置する場所にボール体の半分の容積が収納可能なポケットを有し、ポケットの開口部にボール体の導入を容易にするための勾配を設けた請求項１のカードホルダー
【考案の詳細な説明】
【技術分野】
【０００１】
本考案は落下による紛失事故を防ぐことが可能なカードホルダーに関する。
【背景技術】
【０００２】
多くの企業、団体、官公庁では社員や職員であることの身分を証明するためにＩＤカードの携行が義務づけられていて、本人確認、出勤退勤の管理、建物や事務所での入室退室の管理等に使われている。
【０００３】
一般に使用されているプラスチック製のＩＤカードの場合は顔写真、名前、所属部署、ＩＤ番号等が記載されているものが多く、併せて磁気ストライプが溶着されたものや、カード内部にＩＣチップが埋め込まれているものもある。
【０００４】
ＩＤカードの明示、保護する目的や、ＩＤカードの紛失を防ぐ目的からカードホルダーも併用されている。
【０００５】
カードホルダーはプラスチック製や、ビニール製のものが多く紐等で首から吊り下げて使われることが多い。
【０００６】
【特許文献１】特開２００５−１５２５１１号公報
【考案の概要】
【考案が解決しようとする課題】
【０００７】
前記した状況の中で、時折、ＩＤカードの紛失事故が発生して、情報セキュリティ上の問題になり、再発防止策の策定が検討課題となっている。
【０００８】
もしも紛失したＩＤカードを悪意のある者が入手した場合は、機密情報や顧客情報等が外部に流出する危険性があり、特に顧客情報が流出すると、それまで築き上げた顧客との信用を失うことになり、損害の規模は計り知れない。
【０００９】
前記した紛失事故を防止する目的からも、ＩＤカードをカードホルダーに入れて紐等で首から吊り下げて使われているが、紐やハンガーが破損して紛失することがある。
【００１０】
また本来なら、カードホルダーを紐等で首から吊り下げて使用するところを、手に持つ等しているうちに、不注意から落としてしまい紛失することもある。
【００１１】
帰宅時等は、カードホルダーを鞄等に仕舞うために、首から紐を外して手に持つ操作において不注意から落としてしまい紛失することもある。
【００１２】
カードホルダーを落とした場所がコンクリート製や木製の床の場合は落下時に発する打撃音により落下したことに気づくことが可能であるが、床表面を床材や絨毯などで覆われていると落下時の衝撃が緩衝されることで、落下時に発する打撃音も小さくなり、落下したことに気づかないことがある。
【課題を解決するための手段】
【００１３】
カード収納体の一辺に１つ以上のボール収納室を持つボール収納体を設ける。
【００１４】
カードホルダーを紐等で首から吊り下げたときに、ボール収納室の底面に位置する場所にボール体の半分の容積が収納可能なポケットを設ける。
【００１５】
ポケットの開口部にボール体の導入を容易にするための勾配を設ける。
【００１６】
ボール収納体を覆うボール収納体カバーは、ボール収納室に好適な開口窓を設ける。
【考案の効果】
【００１７】
カードホルダーを落とした場合は、ボール収納室内のボール体がボール収納室内を跳動して内壁を打撃することで打撃音が鳴り、カードホルダーが落下したことに気づくことが出来る。
【００１８】
前記した効果により、紐やハンガーが破損して落とした場合も有効であり、また、落下時の床表面が床材や絨毯などで覆われている場合でも有効である。
【００１９】
カードホルダーを紐等で首から吊り下げたときに、ボール収納室の底面に位置する場所にボール体の半分の容積が収納可能なポケットを設けているため、歩行等によりボール体が不本意に遊動することなく、静かな事務所内でも静粛性を保てる。
【考案を実施するための最良の形態】
【００２０】
以下に本考案を実施するための最良の形態の一例を図を元に説明する。
【００２１】
仕切り板２の表面、裏面に透明なカード収納体カバー３を嵌合してカード収納体を設ける。
【００２２】
カードホルダーを紐等で首から吊り下げたときに、カード収納体の下側に位置する辺を刳り貫いて外枠を形成し、その外枠に内包されるようにボール収納室７用の枠を設ける。
【００２３】
カードホルダーを紐等で首から吊り下げたときに、ボール収納室７の底面に位置する場所にボール体の半分の容積が収納可能なポケット８を設ける。
【００２４】
ポケット８の開口部にボール体９の導入を容易にするための勾配を設ける。
【００２５】
ボール収納体を覆うボール収納体カバー４は、ボール収納室に好適な開口窓６を設ける。
【００２６】
ボール体９はスチール製やプラスチック製のものでも良い。
【実施例】
【００２７】
図２に仕切り板とボール収納体の例を示す。
【図面の簡単な説明】
【００２８】
【図１】正面図と側面図
【図２】仕切り板とボール収納体の断面図
【図３】ボール収納体部分の断面図
【図４】ボール収納体のポケット開口部分の断面図
【図５】ボール収納体カバーの正面図
【符号の説明】
【００２９】
１ハンガー
２仕切り板
３カード収納体カバー
４ボール収納体カバー
５カード取り出し窓
６開口窓
７ボール収納室
８ポケット
９ボール体
１０カード押さえ片
１１カード収納体カバー係止孔
１２ボール収納体カバー係止孔
【図１】
0003179215.tif 000003
【図２】
0003179215.tif 000004
【図３】
0003179215.tif 000005
【図４】
0003179215.tif 000006
【図５】
0003179215.tif 000007